(57)【要約】      （修正有）【課題】油煙を吸着し、静電効果を備えたレンジフード構造を提供する。【解決手段】吸入煙道において油煙を吸入し、混合通道内において極めて微細な水泡を生じ、数カ所の渦を発生し、これにより水分子と油分子を十分に混合し、該混合通道出口において極めて微細な水泡を生じ、水幕を形成し、該水幕は油煙と混合され、さらに複数の通孔を設える板体を利用し油煙を吸着した水幕を、上通道板と下通道板により水槽中へと引導して回収し、油煙を排出し、しかもカバー体底部には進水ユニット、出水ユニットを設置する。【選択図】図２
0003142098.tif 000002
【実用新案登録請求の範囲】
【請求項１】
カバー体及び該カバー体上方の風管接続口内に設置する排気機により組成し、
該カバー体底部には水槽を設置し、該カバー体前方には下通道板を設置し、該下通道板は上端より外から内へと傾斜し、しかも連続湾折段を形成し、該下通道板の底部は下方へと該水槽内へ延伸し、これにより該下通道板底部と該水槽間には吸入通道を形成し、該下通道板内側は距離を開け上通道板を対応設置し、該上通道板は連続湾折段を形成し、こうして該下通道板と該上通道板の間には混合通道を形成し、しかも該上通道板の底端は該下通道板の底端より低く、別に該上通道板の連続湾折段の上段位置には複数の通孔を備える板体を設置することを特徴とするレンジフード構造。
【請求項２】
請求項１記載のレンジフード構造において、前記下通道板の中央部位にはウィンドウを設置することを特徴とするレンジフード構造。
【請求項３】
請求項１記載のレンジフード構造において、前記風管接続口下端の開口位置には風量ゲートを設置することを特徴とするレンジフード構造。
【請求項４】
請求項１記載のレンジフード構造において、前記カバー体の水槽下方にはさらに配管飾板、進水ユニット、出水ユニットを設置し、該水槽内部には設置空間を形成し、該水槽底部には進水孔、出水孔、溢水孔を設置し、
該進水ユニットは中空ネジ、少なくとも１個のワッシャ、定位ナット、進水制御バルブ、進水管を設置し、該進水ユニットの中空ネジ頂点面周縁には突部を形成し、該水槽底部の進水孔上に定位し、該少なくとも１個のワッシャは該中空ネジ頂点面周縁の突部と該水槽底部の間に設置し、該定位ネジは該中空ネジと相互に螺合定位し、該進水制御バルブ一端は該中空ネジと相互に螺合し、該進水制御バルブの反対端は該進水管に連接し、
該出水ユニットは中空ネジ、少なくとも２個のワッシャ、２個の定位ナット、出水制御バルブ、出水管、溢水管を設置し、該出水ユニットの中空ネジ頂点面周縁には突部を形成し、該水槽底部の出水孔上に定位し、該少なくとも２個のワッシャは該中空ネジ頂点面周縁の突部と該水槽底部の間に設置し、該定位ネジは該中空ネジと相互に螺合定位し、該出水制御バルブ一端は該中空ネジと相互に螺合し、該出水制御バルブ下方には延伸管を形成し、該出水制御バルブの反対端には出水管を連接し、しかも該延伸管上には分岐管を設置し、該水槽底部の溢水孔上には溢水管を設置し、該溢水管下方には外ネジヤマを形成し、もう１個のワッシャは該溢水管と該水槽底部の間に設置し、もう１個の定位ナットは該溢水管と相互に螺合定位し、該溢水管下方の外ネジヤマは該分岐管と相互に螺合し、
該進水制御バルブはグリップを結合し、該出水制御バルブはグリップを結合し、これにより開閉制御を行い、該進水制御バルブが結合するグリップと該出水制御バルブが結合するグリップは該配管飾板上に対応設置され、進水と排水を制御し、
該カバー体の水槽前方壁面上には水位ウィンドウを設置し、水位の制御に用い、
該水槽底部と該定位ナットの間にはさらにワッシャを設置することを特徴とするレンジフード構造。
【請求項５】
請求項４記載のレンジフード構造において、前記溢水管下方の外ネジヤマの外径は該溢水管上方の外径より小さく、しかも該溢水管上方の外径は該溢水孔の直径より大きいため、該溢水管は該水槽上に結合されることを特徴とするレンジフード構造。
【請求項６】
請求項１記載のレンジフード構造において、前記カバー体上端前縁にはさらに前カバー蓋を設置し、該前カバー蓋上には複数のスイッチを設置し、該各スイッチ周縁にはステンレス保護リングを設置し、さらに該前カバー蓋底端には光透過カバーを設置することを特徴とするレンジフード構造。
【請求項７】
請求項１記載のレンジフード構造において、前記板体は傾斜を呈し設置されることを特徴とするレンジフード構造。
【請求項８】
請求項１記載のレンジフード構造において、前記上通道板と該カバー体の間にはさらに隔絶板を設置し、該隔絶板は傾斜を呈し設置され、しかも該隔絶板の傾斜底端と該上通道板の接続位置にはドリップ孔を設置することを特徴とするレンジフード構造。
【考案の詳細な説明】
【技術分野】
【０００１】
本考案はレンジフード構造に関する。特に吸入通道において油煙を吸入し、混合通道内において極めて微細な水泡を生じ、数ヶ所の渦を発生し、これにより水分子と油分子を十分に混合し、該混合通道出口において極めて微細な水泡を生じ、水幕を形成し、該水幕は油煙と混合され、さらに複数の通孔を備える板体を利用し油煙を吸着した水幕を、上通道板と下通道板により水槽中へと導引し回収し、油煙を排出し、しかもカバー体底部には水槽、進水ユニット、出水ユニットの設計を設置するため、水洗、油回収、メンテナンスが容易で、油切り率を向上させることができ、静音、迅速な組立てと分解が可能で、詰まりの除去と水槽内の汚染物質洗浄が便利で、美観も備えるという効果を備え、各種レンジフード構造に適用可能であるレンジフード構造に係る。
【背景技術】
【０００２】
おいしい中華料理をつくるためには、強火で手早く炒めることが求められるが、このため台所では大量の油煙が発生する。通常この油煙汚染を取り除くため、レンジフードを使用し排煙するが、これは空気汚染を引き起こし、さらにレンジフードは排煙の過程において過度の騒音を発生する。しかし、油煙が肺に吸引され、それが長く積み重なれば肺の病変の確率が増大し、過度の騒音は文明的な環境にとっては公害と言える。
よって、調理時の油煙を減少させるため、音が静かで排煙効率が高いことが、レンジフード購入時の考慮の重点となっている。
【０００３】
しかし現在市販されているレンジフード構造は吸引ファンにより油煙を直接屋外へと排出するもので、近隣の空気汚染を引き起こしている。さらにその過程では全く油切りの効果がない。しかも油を回収することもできず、構造全体は清掃、手入れが非常に面倒である。さらには過度の騒音を低下させることもできない。
【考案の開示】
【考案が解決しようとする課題】
【０００４】
本考案の主要な目のは、レンジフード構造を提供し、板体により油煙を吸着し、その水幕を連続湾折段を備える上通道板と下通道板により導引し水槽中へと回収し、排煙のための耳を劈くような騒音を大幅に低下させることができるため、良好な静音効果を備え、台所の環境を向上させることができ、実用性が高くである。
【０００５】
本考案の次の目的は、レンジフード構造を提供し、排気機をオンにすると、気流は吸入通道を経由し、油煙を外部へと吸入し、該気流は液面を快速通過し下通道板と上通道板の間に形成する混合通道を経由し上昇し、連続湾折段を備える下通道板と上通道板が形成する混合通道内において極めて微細な水泡を生じ、数ヶ所の渦を発生し、これにより水分子と油分子は十分に混合され、該混合通道出口において極めて微細な水泡を生じ、水幕を形成し、該水幕は油煙と混合し、油煙中の微細な油気分子と粉塵顆粒を吸着し、さらに複数の通孔を備える板体を利用し油煙の水幕を吸着し、連続湾折段を備える上通道板と下通道板により水槽中へと導引し回収し、空気は上昇を継続し風管接続口に沿って排出されるため、環境保護、水洗、脱油、油回収、メンテナンスが容易という効果を備え、実用性と利便性を向上させ、環境保護機能を備える。
【０００６】
本考案のもう一つの目的は、レンジフード構造を提供し、レンジフード構造の前縁に前カバー蓋を増設し、排煙のカバー区域を増大させ、その排煙機能を拡大し、該前カバー蓋底端には光透過カバーを設置し、光源を透過させ、また該前カバー蓋上には複数のスイッチを設置し、該各前カバー蓋周縁にはステンレス保護リングを設置し、堅固と美観及び実用性を兼ね備える。
【０００７】
本考案のもう一つの目的は、レンジフード構造を提供し、水槽、進水ユニット、出水ユニットの組合せ設計により、水槽底部の進水と出水を制御することができるため、迅速な組み立てと分解の機能を備え、全体的な実用性と利便性を向上させることができる。
【０００８】
本考案のもう一つの目的は、レンジフード構造を提供し、水槽、進水ユニット、出水ユニットの組合せ設計により、出水ユニット内で詰まりが発生しても、定位ネジを回し定位結合状態を解除するだけで、出水制御バルブと中空ネジ及び溢水管を迅速に取外すことができ、詰まりを除去することができるため、全体的な実用性を向上させることができる。
【０００９】
本考案のもう一つの目的は、レンジフード構造を提供し、水槽底部の溢水孔上に設置する溢水管が比較的高いことを利用し、水槽内の液体の高度が溢水管を上回った時には、液体は順番に溢水管、分岐管、延伸管後段を経由し、最後に出水管を経て排出され、水槽底部の汚染物質(レンジフードの排油など)を清掃したい時には、グリップを回し、進水制御バルブを開放すれば、真水は進水管から進水制御バルブ及び中空ネジを経由し、最後に水槽へと流入し、油と水の混合後、再びグリップを回し、出水制御バルブを開放し、該油と水が混合後の汚水は、順番に中空ネジ及び出水制御バルブの延伸管を経由し、最後に出水管を経由し排出され、こうして水槽内の汚染物質を効果的に洗い流すことができ、全体的な実用性と利便性を向上させることができる。
【００１０】
上述の目的を達成するため、本考案はカバー体及び該カバー体上方の風管接続口内に設置する排気機により組成する。
該カバー体底部には水槽を設置し、該カバー体前方には下通道板を設置し、該下通道板は上端より外から内へと傾斜し、しかも連続湾折段を形成し、該下通道板の底部は下方へと該水槽内へ延伸し、これにより該下通道板底部と該水槽間には吸入通道を形成し、該下通道板内側は距離を開け上通道板を対応設置し、該上通道板は連続湾折段を形成し、こうして該下通道板と該上通道板の間には混合通道を形成し、しかも該上通道板の底端は該下通道板の底端より低く、別に該上通道板の連続湾折段の上段位置には複数の通孔を備える板体を設置する。
該水槽内に適量の水を注入し、排気機をオンにすると、該吸入通道より油煙を吸入し、該混合通道内において極めて微細な水泡を生じ、数ヶ所の渦を発生し、これにより水分子と油分子は十分に混合され、該混合通道出口において極めて微細な水泡を生じ、水幕を形成し、該水幕は油煙と混合され、さらに該板体を利用し油煙を吸着した水幕を、上通道板と下通道板により水槽中へと導引し回収し、油煙を排出する。
該カバー体底部には水槽、進水ユニット、出水ユニットの設計を設置するため、静音、環境保護、水洗、脱油、油回収、メンテナンスが容易で、迅速な組立てと分解が可能で、詰まりの除去と水槽内の汚染物質洗浄が便利で、美観も備えるという効果を備える。
【課題を解決するための手段】
【００１１】
請求項１の考案は、カバー体及び該カバー体上方の風管接続口内に設置する排気機により組成し、
該カバー体底部には水槽を設置し、該カバー体前方には下通道板を設置し、該下通道板は上端より外から内へと傾斜し、しかも連続湾折段を形成し、該下通道板の底部は下方へと該水槽内へ延伸し、これにより該下通道板底部と該水槽間には吸入通道を形成し、該下通道板内側は距離を開け上通道板を対応設置し、該上通道板は連続湾折段を形成し、こうして該下通道板と該上通道板の間には混合通道を形成し、しかも該上通道板の底端は該下通道板の底端より低く、別に該上通道板の連続湾折段の上段位置には複数の通孔を備える板体を設置することを特徴とするレンジフード構造としている。
請求項２の考案は、請求項１記載のレンジフード構造において、前記下通道板の中央部位にはウィンドウを設置することを特徴とするレンジフード構造としている。
請求項３の考案は、請求項１記載のレンジフード構造において、前記風管接続口下端の開口位置には風量ゲートを設置することを特徴とするレンジフード構造としている。
請求項４の考案は、請求項１記載のレンジフード構造において、前記カバー体の水槽下方にはさらに配管飾板、進水ユニット、出水ユニットを設置し、該水槽内部には設置空間を形成し、該水槽底部には進水孔、出水孔、溢水孔を設置し、
該進水ユニットは中空ネジ、少なくとも１個のワッシャ、定位ナット、進水制御バルブ、進水管を設置し、該進水ユニットの中空ネジ頂点面周縁には突部を形成し、該水槽底部の進水孔上に定位し、該少なくとも１個のワッシャは該中空ネジ頂点面周縁の突部と該水槽底部の間に設置し、該定位ネジは該中空ネジと相互に螺合定位し、該進水制御バルブ一端は該中空ネジと相互に螺合し、該進水制御バルブの反対端は該進水管に連接し、
該出水ユニットは中空ネジ、少なくとも２個のワッシャ、２個の定位ナット、出水制御バルブ、出水管、溢水管を設置し、該出水ユニットの中空ネジ頂点面周縁には突部を形成し、該水槽底部の出水孔上に定位し、該少なくとも２個のワッシャは該中空ネジ頂点面周縁の突部と該水槽底部の間に設置し、該定位ネジは該中空ネジと相互に螺合定位し、該出水制御バルブ一端は該中空ネジと相互に螺合し、該出水制御バルブ下方には延伸管を形成し、該出水制御バルブの反対端には出水管を連接し、しかも該延伸管上には分岐管を設置し、該水槽底部の溢水孔上には溢水管を設置し、該溢水管下方には外ネジヤマを形成し、もう１個のワッシャは該溢水管と該水槽底部の間に設置し、もう１個の定位ナットは該溢水管と相互に螺合定位し、該溢水管下方の外ネジヤマは該分岐管と相互に螺合し、
該進水制御バルブはグリップを結合し、該出水制御バルブはグリップを結合し、これにより開閉制御を行い、該進水制御バルブが結合するグリップと該出水制御バルブが結合するグリップは該配管飾板上に対応設置され、進水と排水を制御し、
該カバー体の水槽前方壁面上には水位ウィンドウを設置し、水位の制御に用い、
該水槽底部と該定位ナットの間にはさらにワッシャを設置することを特徴とするレンジフード構造としている。
請求項５の考案は、請求項４記載のレンジフード構造において、前記溢水管下方の外ネジヤマの外径は該溢水管上方の外径より小さく、しかも該溢水管上方の外径は該溢水孔の直径より大きいため、該溢水管は該水槽上に結合されることを特徴とするレンジフード構造としている。
請求項６の考案は、請求項１記載のレンジフード構造において、前記カバー体上端前縁にはさらに前カバー蓋を設置し、該前カバー蓋上には複数のスイッチを設置し、該各スイッチ周縁にはステンレス保護リングを設置し、さらに該前カバー蓋底端には光透過カバーを設置することを特徴とするレンジフード構造としている。
請求項７の考案は、請求項１記載のレンジフード構造において、前記板体は傾斜を呈し設置されることを特徴とするレンジフード構造としている。
請求項８の考案は、請求項１記載のレンジフード構造において、前記上通道板と該カバー体の間にはさらに隔絶板を設置し、該隔絶板は傾斜を呈し設置され、しかも該隔絶板の傾斜底端と該上通道板の接続位置にはドリップ孔を設置することを特徴とするレンジフード構造としている。
【考案の効果】
【００１２】
本考案は吸入通道において油煙を吸入し、混合通道内において極めて微細な水泡を生じ、数ヶ所の渦を発生し、これにより水分子と油分子を十分に混合し、該混合通道出口において極めて微細な水泡を生じ、水幕を形成し、該水幕は油煙と混合され、さらに複数の通孔を備える板体を利用し油煙を吸着した水幕を、上通道板と下通道板により水槽中へと導引し回収し、油煙を排出する。しかもカバー体底部には水槽、進水ユニット、出水ユニットの設計を設置するため、水洗、油回収、メンテナンスが容易で、油切り率を向上させることができ、静音、迅速な組立てと分解が可能で、詰まりの除去と水槽内の汚染物質洗浄が便利で、美観も備えるという効果を備え、各種レンジフード構造に適用可能である。
【考案を実施するための最良の形態】
【００１３】
図１〜８に示すように、本考案のレンジフード構造はカバー体１０、及び該カバー体１０上方の風管接続口１４内に設置する排気機１５により組成する。
該カバー体１０底部には水槽１１を設置し、該カバー体１０前方には下通道板１２を設置する。該下通道板１２は上端より外から内へと傾斜し、しかも連続湾折段を形成する。該下通道板１２の底部は下方へと該水槽１１内まで延伸し、該下通道板１２底部と該水槽１１間には吸入通道１２１を形成する。該下通道板１２内側には距離を開け対応する上通道板１３を設置し、該上通道板１３は連続湾折段を形成する。これにより該下通道板１２と該上通道板１３間には混合通道１２２を形成し、しかも該上通道板１３の底端は該下通道板１２の底端より低い。別に、該上通道板１３の連続湾折段の上段位置には複数の通孔１６１を備える板体１６を設置し、該板体１６は傾斜を呈し設置する。
該上通道板１３と該カバー体１０の間にはさらに隔絶板１８を設置し、該隔絶板１８は傾斜を呈し設置する。しかも該隔絶板１８の傾斜底端と該上通道板１３の接続位置にはドリップ孔１８１を設置する。
【００１４】
該カバー体１０の水槽１１下方には、さらに配管飾板３７、進水ユニット２０、出水ユニット３０を設置する。該水槽１１内部には設置空間１１５を形成し、該水槽１１底部には進水孔１１６、出水孔１１７、溢水孔１１８を設置する。
該進水ユニット２０には中空ネジ２１、少なくとも１個のワッシャ２２、定位ナット２３、進水制御バルブ２４、進水管２５を設置する。該進水ユニット２０の中空ネジ２１頂点面周縁には突部２１１を形成し、これにより該水槽１１底部の進水孔１１６上に定位する。該少なくとも１個のワッシャ２２は該中空ネジ２１頂点面周縁の突部２１１と該水槽１１底部の間に設置し(該水槽１１底部と該定位ナット２３の間にはさらにワッシャ２２を設置することができる)、該定位ナット２３は該中空ネジ２１と相互に螺合定位する。該進水制御バルブ２４一端は該中空ネジ２１と相互に螺合し、該進水制御バルブ２４の反対端は該進水管２５に連接する。
【００１５】
該出水ユニット３０には中空ネジ３１、少なくとも２個のワッシャ３２、２個の定位ナット３３、出水制御バルブ３４、出水管３５、溢水管３６を設置する。
該出水ユニット３０の中空ネジ３１頂点面周縁には突部３１１を形成し、これにより該水槽１１底部の出水孔１１７上に定位する。
該少なくとも２個のワッシャ３２は該中空ネジ３１頂点面周縁の突部３１１と該水槽１１底部の間に設置し、該定位ナット３３は該中空ネジ３１と相互に螺合定位する。
該出水制御バルブ３４一端は該中空ネジ３１と相互に螺合し、該出水制御バルブ３４下方には延伸管３４１を形成し、該出水制御バルブ３４の反対端は該出水管３５に連接する。しかも、該延伸管３４１上には分岐管３４２を設置し、該水槽１１底部の溢水孔１１８上には溢水管３６を設置する。
該溢水管３６下方には外ネジヤマ部３６１を形成し、もう１個のワッシャ３２は該溢水管３６と該水槽１１底部の間に設置する。もう１個の定位ナット３３は該溢水管３６と相互に螺合定位し、該溢水管３６下方の外ネジヤマ部３６１は該分岐管３４２と相互に螺合する。
該進水制御バルブ２４はグリップ２４１を結合し、該出水制御バルブ３４はグリップ３４３を結合する。こうして開閉を制御し、該進水制御バルブ２４が結合するグリップ２４１と該出水制御バルブ３４が結合するグリップ３４３は対応し、該配管飾板３７上に設置され、進水と排水を制御する。
該カバー体１０の水槽１１前方壁面上には水位ウィンドウ１１１を設置し、水位制御に利する。別に該溢水管３６下方の外ネジヤマ部３６１の外径は、該溢水管３６上方の外径より小さく、しかも該溢水管３６上方の外径は該溢水孔１１８の直径より大きい。これにより該溢水管３６は該水槽１１上に結合する。
【００１６】
上記の構造において、該水槽１１内に水を注入し、水が該上通道板１３底端を越え、水位が該下通道板１２底端に接近すると、該進水ユニット２０は閉まり、該排気機１５が動き出すと、気流は該吸入通道１２１を経由し、油煙を外部より吸入する。該気流は液面を快速通過し、該下通道板１２と該上通道板１３の間に形成する混合通道１２２上を経由し上昇し、連続湾折段を備える下通道板１２と上通道板１３が形成する混合通道１２２内において極めて微細な水泡を生じ、数ヶ所の渦を発生する。これにより水分子と油分子は十分に混合され、該混合通道１２２出口位置で生じていた極めて微細な水泡は水幕を形成する。
該水幕は油煙と混合され、該水幕の一部分の力量は該ウィンドウに衝突し、該ウィンドウを洗浄する。
該水幕の別の一部分の力量は油煙と混合し、油煙中の微細な油気分子及び粉塵顆粒を吸着し、さらに該上通道板１３に設置する連続湾折段の上段に備える複数の通孔１６１を備える板体１６を利用し、油煙を吸着した水幕は、連続湾折段を備える上通道板１３及び下通道板１２により、傾斜設置の隔絶板１８へと導引される。さらに該隔絶板１８の傾斜底端と該通道板１３の接続位置に設置するドリップ孔１８１を経由し、該水槽１１中に戻り、回収処理される。こうして良好な静音効果を備え、空気は継続上昇し、該風管接続口１４に沿って排出される。これにより本考案のレンジフード構造は、静音、環境保護、水洗、油回収の機能を達成する。
【００１７】
上記の構造において、該下通道板１２はその中央部位にウインドウ１２０を設置することができ、内部の水幕の作動状況を観察することができる(図１〜３参照)。
同時に該カバー体１０内の上方には光源１１３(蛍光灯など)を設置し、該光源１１３は先ず該板体１６隣側上方に設置する上側ウィンドウ１１４を透過する。該上側ウィンドウ１１４の周縁はシリコンで封合可能である。次に、該下通道板１２上端部位に設置するウィンドウ１２０と前カバー蓋１７底端の光透過カバー１７１を経由し、光は外へと照射される。該カバー体１０上方にはランプ蓋板１１２を対応し設置し、該ランプ蓋板１１２は取り外し可能であるため、該光源１１３の手入れとメンテナンス、交換に便利である。
【００１８】
上記の構造において、本考案の水幕が該複数の通孔１６１を備える板体１６を通過する時、該水幕の一部の油分子と粉塵顆粒が混ざっている水分は、該板体１６の複数の通孔１６１を通過し、順番に該上通道板１３から下方へと傾斜設置の隔絶板１８へ流れ至る。さらに該隔絶板１８の傾斜底端と該上通道板１３の接続位置に設置するドリップ孔１８１を経由し、該水槽１１内に流入する(本考案の実際の使用時には、油分子と粉塵顆粒が混ざっている水幕の水分は、複数の通孔１６１を備える板体１６に遮られた後、順番に該下通道板１２と該上通道板１３から下方へと該水槽１１内へ流入する)。
一方、空気は順調に該板体１６の複数の通孔１６１を通過し、最後に排気機１５を再度利用し空気を排出する。
別に、該ろ過された油分子は自然に水面上に浮かび、該配管飾板３７上の出水ユニット３０を開くことで、該出水管３５から排出される。該進水ユニット２０と該出水ユニット３０を繰り返し開けることにより、該水槽１１内部の洗浄を利便とし、排油の機能を高めることができる。
【００１９】
図２、３に示すように、本考案のレンジフード構造は、風管接続口１４下端の開口位置にプレート型風量ゲート１４０を設置し、該風量ゲート１４０の開放の大小を利用し、その排気風量の大小を調節する。別に、電機のインバーターを利用し該排気機１５の運転速度を制御し、その排気(吸気)風力の大小の制御を達成する。
本考案は該カバー体１０上端の前縁に、前カバー蓋１７を加えることができる。該前カバー蓋１７底端には光透過カバー１７１を設置し、光源をここから透過させる。該前カバー蓋１７により該カバー体１０がカバー可能な油煙吸入区域を拡大可能で、油煙がレンジフード構造の外へ飛散することを防ぐことができ、その排油煙の機能をさらに向上させることができる。
別に、該前カバー蓋１７上には複数のスイッチ１７２を設置し、該各スイッチ１７２周縁にはステンレス保護リング１７３を設置する。これにより美観、堅固、実用性を達成する。
【００２０】
図５〜８に示すように、本考案は水槽１１、進水ユニット２０、出水ユニット３０の組合せ設計により、該進水ユニット２０の中空ネジ２１頂点面周縁に形成する突部２１１を利用し、該水槽１１底部の進水孔１１６上に定位する。さらに該少なくとも１個のワッシャ２２を該中空ネジ２１頂点面周縁の突部２１１と水槽１１底部の間に結合する。該定位ナット２３と該中空ネジ２１の相互螺合定位により、さらに該進水制御バルブ２４一端を該中空ネジ２１と相互に螺合し、該進水制御バルブ２４の反対端は該進水管２５に連接する。しかも該進水制御バルブ２４はグリップ２４１を結合し、開閉を制御することができる。
該出水ユニット３０の中空ネジ３１頂点面周縁に形成する突部３１１は、該水槽１１底部の出水孔１１７上に定位する。該１個のワッシャ３２を該中空ネジ３１頂点面周縁の突部３１１と水槽１１底部の間に結合し、該定位ナット３３と該中空ネジ３１の相互螺合定位により、さらに該出水制御バルブ３４一端を該中空ネジ３１と相互に螺合し、該出水制御バルブ３４下方に形成する延伸管３４１により、該出水制御バルブ３４の反対端は該出水管３５に接続し、しかも該延伸管３４１上には分岐管３４２を設置する。該水槽１１底部の溢水孔１１８上には溢水管３６を設置し、該溢水管３６下方には外ネジヤマ部３６１を形成する。別のワッシャ３２は該溢水管３６と該水槽１１底部の間に設置し、別の定位ネジ３３は該溢水管３６と相互に螺合定位する。該溢水管３６下方の外ネジヤマ部３６１は該分岐管３４２と相互に螺合し、しかも該出水制御バルブ３４はグリップ３４３を結合し、これにより開閉を制御する。こうして迅速組み立て及び分解の機能を備える。
【００２１】
該水槽１１、該進水ユニット２０、該出水ユニット３０の組合せ設計により、該出水ユニット３０内において、もし詰まりが発生しても、該定位ナット３３を回し定位結合状態を解除するだけで、該出水制御バルブ３４と該中空ネジ３１及び該溢水管３６を迅速に取外すことができ、詰まりを除去することができる。
また、該水槽１１底部の溢水孔１１８上に設置する溢水管３６が比較的高いことを利用し、該水槽１１内の液体の高度が該溢水管３６を上回った時には、液体は順番に該溢水管３６、該分岐管３４２、該延伸管３４１後段を経由し、最後に該出水管３５を経て排出される。
該水槽１１底部の汚染物質(レンジフードの排油など)を清掃したい時には、該グリップ２４１を回し、該進水制御バルブ２４を開放すれば、真水は該進水管２５から該進水制御バルブ２４及び該中空ネジ２１を経由し、最後に該水槽１１へと流入する。油と水の混合後、再び該グリップ３４３を回し、該出水制御バルブ３４を開放し、該油と水が混合後の汚水は、順番に該中空ネジ３１及び該出水制御バルブ３４の延伸管３４１を経由し、最後に該出水管３５を経由し排出され、こうして水槽内の汚染物質を効果的に洗い流すことができる。すなわち、本考案は水槽底部の進水と出水を制御することができ、迅速な組立てと分解が可能で、詰まりの除去と水槽内の汚染物質の洗浄が便利であるなどの効果を備え、全体の実用性と利便性を増強することができる。
【００２２】
本考案レンジフードの構造は静音、環境保護、水洗、脱油、油回収、メンテナンスが容易、油切り率の向上、水槽底部の進水と出水を制御可能とし、迅速な組立てと分解機能を備え、詰まりの除去と水槽内の汚染物質の洗浄が便利であるなどの効果を備える。
【図面の簡単な説明】
【００２３】
【図１】本考案の立体図である。
【図２】本考案の内部構造概略図である。
【図３】本考案が油煙を吸入する様子の概略図である。
【図４】本考案の正面図である。
【図５】本考案実施例の局部立体外観図である。
【図６】本考案実施例の局部立体部品分解図である。
【図７】本考案実施例の局部断面概略図である。
【図８】本考案実施例の局部使用状態概略図である。
【符号の説明】
【００２４】
１０  カバー体
１１  水槽
１１１  水位ウィンドウ
１１２  ランプ蓋板
１１３  光源
１１４  上側ウィンドウ
１１５  設置空間
１１６  進水孔
１１７  出水孔
１１８  溢水孔
１２  下通道板
１２０  ウィンドウ
１２１  吸入通道
１２２  混合通道
１３  上通道板
１４  風管接続口
１４０  風量ゲート
１５  排気機
１６  板体
１６１  通孔
１７  前カバー蓋
１７１  光透過カバー
１７２  スイッチ
１７３  ステンレス保護リング
１８  隔絶板
１８１  ドリップ孔
２０  進水ユニット
２１  中空ネジ
２１１  突部
２２  ワッシャ
２３  定位ナット
２４  進水制御バルブ
２４１  グリップ
２５  進水管
３０  出水ユニット
３１  中空ネジ
３１１  突部
３２  ワッシャ
３３  定位ナット
３４  出水制御バルブ
３４１  延伸管
３４２  分岐管
３４３  グリップ
３５  出水管
３６  溢水管
３６１  外ネジヤマ部
３７  配管飾板
【図１】
0003142098.tif 000003
【図２】
0003142098.tif 000004
【図３】
0003142098.tif 000005
【図４】
0003142098.tif 000006
【図５】
0003142098.tif 000007
【図６】
0003142098.tif 000008
【図７】
0003142098.tif 000009
【図８】
0003142098.tif 000010